(57)【要約】【課題】  構造が簡単で機構部品の劣化も少なく、更には観察者が斜め方向から観察したり頭及び両眼が左右に移動した場合でも鮮明な立体映像を観察することができる、三次元ディスプレイシステムを得る。【解決手段】  左眼用画像と右眼用画像をディスプレイに交互に表示するための画像表示手段と、観察者の頭及び両眼の位置及び左右の移動を検出するための観察者検出手段と、ディスプレイの背面に左眼用画像と右眼用画像を照射すると共に観察者の頭及び両眼が左右に移動した場合にその移動方向及び移動量に追随して前記左眼用画像と右眼用画像の照射方向を変更するための画像照射方向変更手段と、前記画像表示手段と観察者検出手段と画像照射方向変更手段の電気機械動作の同期制御を行うための制御装置等により構成する。【選択図】        図１
2005266591.tif 000002
【特許請求の範囲】
【請求項１】
左眼用画像と右眼用画像をディスプレイに交互に表示するための画像表示手段と、観察者の頭及び両眼の位置及び左右の移動を検出するための観察者検出手段と、ディスプレイの背面に左眼用画像と右眼用画像を照射すると共に観察者の頭及び両眼が左右に移動した場合にその移動方向及び移動量に追随して前記左眼用画像と右眼用画像の照射方向を変更するための画像照射方向変更手段と、前記画像表示手段と観察者検出手段と画像照射方向変更手段の電気機械動作の同期制御を行うための制御装置等により構成し、
画像表示手段が、左眼用画像と右眼用画像を交互に表示するためのフレネルレンズ（３）と、該フレネルレンズ（３）の背面より左眼用画像と右眼用画像の各画像の投影光を照射するためのＬＣＤプロジェクター（５）と、該ＬＣＤプロジェクター（５）に左眼用画像データと右眼用画像データを交互に出力するための画像データ出力装置（４）にて構成し、
画像照射方向変更手段が、ＬＣＤプロジェクター（５）から照射される左眼用画像の出力期間に当該画像の投影光を左眼方向に照射し右眼用画像の出力期間に当該画像の投影光を右眼方向に照射すると共に観察者（１４）の頭及び両眼が左右に移動した場合にその移動方向及び移動量に追随して前記左眼用画像と右眼用画像の投影光の照射方向を追随変更するため、ＬＣＤプロジェクター（５）から照射される投影光を集光するためのレンズ（６，９）と、該レンズ（９）の焦点距離位置で前記投影光を反射させるためのガルバノミラー（１０）と、該ガルバノミラー（１０）を左眼用画像照射用と右眼用画像照射用の２つの固定角及び観察者（１４）の頭及び両眼が左右に移動した場合にその移動方向及び移動量に追随して回動させるための回動装置（１２）と、前記ガルバノミラー（１０）で反射した投影光をフレネルレンズ（３）に照射させるためのレンズ（１３）をガルバノミラー（１０）の近傍前部においてフレネルレンズ（３）と平行に設置して構成した ことにより構造が簡単で機構部品の劣化も少なく、更には観察者が斜め方向から観察したり頭及び両眼が左右に移動した場合でも鮮明な立体映像を観察することができることを特徴とする、三次元ディスプレイシステム。
【請求項２】
左眼用画像と右眼用画像をディスプレイに交互に表示するための画像表示手段と、観察者の頭及び両眼の位置及び左右の移動を検出するための観察者検出手段と、ディスプレイの背面に左眼用画像と右眼用画像を照射すると共に観察者の頭及び両眼が左右に移動した場合にその移動方向及び移動量に追随して前記左眼用画像と右眼用画像の照射方向を変更するための画像照射方向変更手段と、前記画像表示手段と観察者検出手段と画像照射方向変更手段の電気機械動作の同期制御を行うための制御装置等により構成し、
画像表示手段が、左眼用画像と右眼用画像を交互に表示するためのフレネルレンズ（３）と、該フレネルレンズ（３）の背面より左眼用画像の投影光を照射するためのＬＣＤプロジェクター（５Ｌ）及び右眼用画像の投影光を照射するためのＬＣＤプロジェクター（５Ｒ）と、該ＬＣＤプロジェクター（５Ｌ，５Ｒ）に各々左眼用画像データと右眼用画像データを交互に出力するための画像データ出力装置（４）にて構成し、
画像照射方向変更手段が、ＬＣＤプロジェクター（５Ｌ）から照射される左眼用画像の出力期間に当該画像の投影光を左眼方向に照射しＬＣＤプロジェクター（５Ｒ）から照射される右眼用画像の出力期間に当該画像の投影光を右眼方向に照射すると共に観察者（１４）の頭及び両眼が左右に移動した場合にその移動方向及び移動量に追随して前記左眼用画像と右眼用画像の投影光の照射方向を追随変更するため、左眼用のＬＣＤプロジェクター（５Ｌ）から照射される投影光を集光するためのレンズ（６Ｌ，９）と右眼用のＬＣＤプロジェクター（５Ｒ）から照射される投影光を集光するためのレンズ（６Ｒ，９）と、該レンズ（９）の焦点距離位置で前記投影光を反射させるためのトラッキングミラー（１１）と、該トラッキングミラー（１１）を観察者（１４）の頭及び両眼が左右に移動した場合にその移動方向及び移動量に追随して回動させるための回動装置（１２）と、前記トラッキングミラー（１１）で反射した投影光をフレネルレンズ（３）に照射させるためのレンズ（１３）をトラッキングミラー（１１）の近傍前部においてフレネルレンズ（３）と平行に設置して構成した ことにより構造が簡単で機構部品の劣化も少なく、更には観察者が斜め方向から観察したり頭及び両眼が左右に移動した場合でも鮮明な立体映像を観察することができることを特徴とする、三次元ディスプレイシステム。
【請求項３】
制御装置（１）が、ＣＣＤカメラ（２）で撮影した観察者（１４）の頭及び両眼画像を入力し、正面での基準画像と比較して左右の移動方向及び移動量を検出するための画像処理部（１６）と、左眼用画像照射用と右眼用画像照射用の２つの固定角及び前記左右の移動方向及び移動量に追随してガルバノミラー（１０）を回動させる回動装置（１２）の同期制御を行うための回動制御部（１８）と、前記画像処理部（１６）と回動制御部（１８）及び当該制御装置（１）自体の制御を行うための回路制御部（１７）等により構成することを特徴とする、請求項１に記載の三次元ディスプレイシステム。
【請求項４】
制御装置（１）が、ＣＣＤカメラ（２）で撮影した観察者（１４）の頭及び両眼画像を入力し、正面での基準画像と比較して左右の移動方向及び移動量を検出するための画像処理部（１６）と、該左右の移動方向及び移動量に追随してトラッキングミラー（１１）を回動させる回動装置（１２）の同期制御を行うための回動制御部（１８）と、前記画像処理部（１６）と回動制御部（１８）と当該制御装置（１）自体の制御を行うための回路制御部（１７）等により構成することを特徴とする、請求項２に記載の三次元ディスプレイシステム。
【発明の詳細な説明】
【技術分野】
【０００１】
本発明は、立体映像を観察することができる三次元ディスプレイに関し、特に観察者が斜め方向から観察したり頭及び両眼が左右に移動した場合でも鮮明な立体映像を観察することができる、三次元ディスプレイシステムに関するものである。
【背景技術】
【０００２】
従来、立体映像を観察するための三次元ディスプレイの方法として、観察者が偏光メガネをかけて観察する方法や、レンチキュラレンズをディスプレイの前面に配置することにより偏光メガネをかけることなく観察する方法等がある。
【０００３】
上記前者の方法は、ディスプレイの前面にＬＣＤシャッターを配置し、該ディスプレイに偏光状態を切替えた左眼用画像と右眼用画像とを交互に表示させ、観察者は偏光メガネを通して左右に分離された左眼用画像と右眼用画像の視差画像を観察することにより立体映像を認識するものである。該方式では観察者は常に偏光メガネをかけなければならないという欠点があった。
【０００４】
また、上記後者の方法は、ディスプレイの前面にレンチキュラレンズを配置することにより左眼用画像と右眼用画像の視差画像に指向性を持たせ、左右の眼に入る映像を空間的に分離することにより立体映像を認識するものである。該方式では偏光メガネをかける必要はないものの、立体視することができる領域の幅は観察者の両眼中心距離である約６５ｍｍ程度と狭く、観察者は頭及び両眼を左右に振らさず固定するようにして観察しなければならないという欠点があった。該欠点に対し、特開平０２−４４９５５号公報や特開平０９−１８５０１５号公報では、観察者の頭の移動を検出しスライド機構によりレンチキュラレンズをディスプレイに対して左右に移動制御すること、即ちヘッドトラッキングにより立体視領域を広げることが提案されている。
【０００５】
更に、上記後者の方法は、レンチキュラレンズの構成要素である半円形状のシリンドリカルレンズが像面湾曲収差を持っており、観察者が斜め方向から観察した場合に画像ボケが発生したり、左眼用画像と右眼用画像の表示書換時にクロストークが発生するという欠点があった。該欠点に対し、特開２０００−１３８９５１号公報では、ＬＣＤ（Liquid Crystal Display）の背面にリニアフレネルレンズ（レンチキュラレンズと同等）を配置し、更に該リニアフレネルレンズの後部に光源を配置し、表示画像の線順次走査に追随して光源の照射方向をガルバノミラーで変更しながら時分割にて書換表示を行う三次元ディスプレイが提案されている。
【特許文献１】特開平０２−４４９５５
【特許文献２】特開平０９−１８５０１５
【特許文献３】特開２０００−１３８９５１
【発明の開示】
【発明が解決しようとする課題】
【０００６】
しかしながら、上記レンチキュラレンズを使用した三次元ディスプレイにおけるヘッドトラッキング方式は、レンチキュラレンズをディスプレイに対して左右に移動制御する必要があり、スライド機構としてリニアモータやカム機構等が必要となる。このため、機構的に大型且つ複雑化してしまうという欠点があった。
【０００７】
また、上記リニアフレネルレンズ及びガルバノミラーを使用した三次元ディスプレイは、表示画像の線順次走査に追随した光源の照射方向をリニアに変更する必要があり、サーボモータ等を使用した回動装置が必要となる。ここで、左眼用と右眼用の各回動装置において、左眼用画像と右眼用画像を表示させるため毎秒６０回ずつ鋸波状信号に追随して回動制御する必要があり、機構的に複雑化してしまうと共に回動装置が高速動作を行うため、サーボモータ等の機構部品が早く劣化してしまうという欠点があった。
【０００８】
本発明は、上記のような欠点を解決するために成されたものであり、構造が簡単で機構部品の劣化も少なく、更には観察者が斜め方向から観察したり頭及び両眼が左右に移動した場合でも鮮明な立体映像を観察することができる、三次元ディスプレイシステムを提供することを目的とする。
【課題を解決するための手段】
【０００９】
上記課題を解決するため、本発明の三次元ディスプレイシステムにおいては、左眼用画像と右眼用画像をディスプレイに交互に表示するための画像表示手段と、観察者の頭及び両眼の位置及び左右の移動を検出するための観察者検出手段と、ディスプレイの背面に左眼用画像と右眼用画像を照射すると共に観察者の頭及び両眼が左右に移動した場合にその移動方向及び移動量に追随して前記左眼用画像と右眼用画像の照射方向を変更するための画像照射方向変更手段と、前記画像表示手段と観察者検出手段と画像照射方向変更手段の電気機械動作の同期制御を行うための制御装置等により構成される。
【発明の効果】
【００１０】
本発明によれば、画像照射方向変更手段において左眼用画像と右眼用画像の照射方向の変更又は観察者の頭及び両眼が左右に移動した場合にその移動方向及び移動量に追随して前記左眼用画像と右眼用画像の照射方向の追随変更をガルバノミラー若しくはトラッキングミラーを載置した回動装置で行うだけであり、構造が簡単になるという効果を奏する。また、左眼用画像と右眼用画像の照射方向の回動制御が毎秒３０回又は観察者の頭及び両眼が左右に移動した時のみであるため、サーボモータ等の機構部品の劣化も少なく長期使用に絶えることができるという効果も奏する。また、ディスプレイの前面にレンチキュラレンズを配置しないため、観察者が斜め方向から観察した場合でも画像ボケやクロストークの発生もなく、更にはヘッドトラッキングにより頭及び両眼が左右に移動した場合でも鮮明な立体映像を観察することができるという絶大な効果を奏する。
【発明を実施するための最良の形態】
【００１１】
本発明の実施の形態を図を用いて説明する。図１は本発明の三次元ディスプレイシステムの第一実施例における構成模式図であり、図４は該実施例における制御装置のブロック回路図を示す。
【００１２】
本発明の第一実施形態例として、図１に示すように観察者１４の正面に立体映像を表示するための画像表示手段を配置する。該画像表示手段は、左眼用画像と右眼用画像を交互に表示するためのフレネルレンズ３と、該フレネルレンズ３の背面より左眼用画像と右眼用画像の各画像の投影光を照射するためのＬＣＤプロジェクター５と、該ＬＣＤプロジェクター５に左眼用画像データと右眼用画像データを交互に出力するための画像データ出力装置４にて構成する。該画像データ出力装置４はパソコンやＤＶＤ等が好適であるが特に限定するものではない。
【００１３】
次に、上記フレネルレンズ３の中央部に観察者検出手段を配置する。該観察者検出手段は、画像処理により観察者１４の頭及び両眼の位置及び左右の移動量を検出するため当該観察者１４の頭及び両眼部を撮影するためのＣＣＤカメラ２が好適であるが特に限定するものではなく、他の検出手段を使用しても構わない。図３は本発明の三次元ディスプレイシステムを内蔵したディスプレイの正面図であり、ディスプレイ１５の上部中央にＣＣＤカメラ２を設置した例を示しているが、下部中央でも構わない。
【００１４】
次に、上記フレネルレンズ３の後部に画像照射方向変更手段を配置する。該画像照射方向変更手段は、ＬＣＤプロジェクター５から照射される左眼用画像の出力期間に当該画像の投影光を左眼方向に照射し右眼用画像の出力期間に当該画像の投影光を右眼方向に照射すると共に観察者１４の頭及び両眼が左右に移動した場合にその移動方向及び移動量に追随して前記左眼用画像と右眼用画像の投影光の照射方向を追随変更するため、ＬＣＤプロジェクター５から照射される投影光を集光するためのレンズ６，９と、該レンズ９の焦点距離位置で前記投影光を反射させるためのガルバノミラー１０と、該ガルバノミラー１０を左眼用画像照射用と右眼用画像照射用の２つの固定角及び観察者１４の頭及び両眼が左右に移動した場合にその移動方向及び移動量に追随して回動させるための回動装置１２と、前記ガルバノミラー１０で反射した投影光をフレネルレンズ３に照射させるためのレンズ１３をガルバノミラー１０の近傍前部においてフレネルレンズ３と平行に設置して構成する。なお、レンズ６とレンズ９の間にスリット８を有する遮光板７を配置することにより画像が分離し、観察者１４が立体映像を認識することが可能となる。
【００１５】
また、前記画像表示手段と観察者検出手段と画像照射方向変更手段の電気機械動作の同期制御を行うための制御装置１を配置する。該制御装置１は、ＣＣＤカメラ２で撮影した観察者１４の頭及び両眼画像を入力し、正面での基準画像と比較して左右の移動方向及び移動量を検出するための画像処理部１６と、左眼用画像照射用と右眼用画像照射用の２つの固定角及び前記左右の移動方向及び移動量に追随してガルバノミラー１０を回動させる回動装置１２の同期制御を行うための回動制御部１８と、前記画像処理部１６と回動制御部１８及び当該制御装置１自体の制御を行うための回路制御部１７等により構成する。
【００１６】
次に、図２は本発明の三次元ディスプレイシステムの第二実施例における構成模式図であり、図４は該実施例における制御装置のブロック回路図を示す。
【００１７】
本発明の第二実施形態例として、図２に示すように観察者１４の正面に立体映像を表示するための画像表示手段を配置する。該画像表示手段は、第一実施例と同じく左眼用画像と右眼用画像を交互に表示するためのフレネルレンズ３と、該フレネルレンズ３の背面より左眼用画像の投影光を照射するためのＬＣＤプロジェクター５Ｌ及び右眼用画像の投影光を照射するためのＬＣＤプロジェクター５Ｒと、該ＬＣＤプロジェクター５Ｌ，５Ｒに各々左眼用画像データと右眼用画像データを交互に出力するための画像データ出力装置４にて構成する。該画像データ出力装置４はパソコンやＤＶＤ等が好適であるが特に限定するものではない。
【００１８】
次に、上記フレネルレンズ３の中央部に観察者検出手段を配置する。該観察者検出手段は、第一実施例と同じく画像処理により観察者１４の頭及び両眼の位置及び左右の移動量を検出するため当該観察者１４の頭及び両眼部を撮影するためのＣＣＤカメラ２が好適であるが特に限定するものではなく、他の検出手段を使用しても構わない。図３は本発明の三次元ディスプレイシステムを内蔵したディスプレイの正面図であり、ディスプレイ１５の上部中央にＣＣＤカメラ２を設置した例を示しているが、下部中央でも構わない。
【００１９】
次に、上記フレネルレンズ３の後部に画像照射方向変更手段を配置する。該画像照射方向変更手段は、ＬＣＤプロジェクター５Ｌから照射される左眼用画像の出力期間に当該画像の投影光を左眼方向に照射しＬＣＤプロジェクター５Ｒから照射される右眼用画像の出力期間に当該画像の投影光を右眼方向に照射すると共に観察者１４の頭及び両眼が左右に移動した場合にその移動方向及び移動量に追随して前記左眼用画像と右眼用画像の投影光の照射方向を追随変更するため、左眼用のＬＣＤプロジェクター５Ｌから照射される投影光を集光するためのレンズ６Ｌ，９と右眼用のＬＣＤプロジェクター５Ｒから照射される投影光を集光するためのレンズ６Ｒ，９と、該レンズ９の焦点距離位置で前記投影光を反射させるためのトラッキングミラー１１と、該トラッキングミラー１１を観察者１４の頭及び両眼が左右に移動した場合にその移動方向及び移動量に追随して回動させるための回動装置１２と、前記トラッキングミラー１１で反射した投影光をフレネルレンズ３に照射させるためのレンズ１３をトラッキングミラー１１の近傍前部においてフレネルレンズ３と平行に設置して構成する。なお、レンズ６Ｌとレンズ９の間にスリット８Ｌを有する遮光板７Ｌと、レンズ６Ｒとレンズ９の間にスリット８Ｒを有する遮光板７Ｒを配置することにより画像が分離し、観察者１４が立体映像を認識することが可能となる。
【００２０】
また、前記画像表示手段と観察者検出手段と画像照射方向変更手段の電気機械動作の同期制御を行うための制御装置１を配置する。該制御装置１は、ＣＣＤカメラ２で撮影した観察者１４の頭及び両眼画像を入力し、正面での基準画像と比較して左右の移動方向及び移動量を検出するための画像処理部１６と、該左右の移動方向及び移動量に追随してトラッキングミラー１１を回動させる回動装置１２の同期制御を行うための回動制御部１８と、前記画像処理部１６と回動制御部１８と当該制御装置１自体の制御を行うための回路制御部１７等により構成する。
【実施例１】
【００２１】
本発明の第一実施例を図を用いて説明する。図１は本発明の三次元ディスプレイシステムの第一実施例における構成模式図であり、観察者１４の正面にフレネルレンズ３が設置されている。また、該フレネルレンズ３の上部中央にＣＣＤカメラ２が設置されている。更にはＬＣＤプロジェクター５に画像データ出力装置４が接続され、フレネルレンズ３に左眼用画像と右眼用画像の投影光を交互に出力可能となっている。該画像データ出力装置４は、制御装置１から出力されるＬＣＤプロジェクター切替信号を受け、システムに同期した左眼用画像と右眼用画像の出力切替を行う。なお、該左眼用画像と右眼用画像の出力切替速度は６０フレーム、即ち左眼用画像と右眼用画像を毎秒３０回ずつ交互に表示するのが好適である。
【００２２】
ここで、画像データ出力装置４がＬＣＤプロジェクター５に左眼用画像データを出力し当該ＬＣＤプロジェクター５が左眼用画像の投影光を出力した場合、該投影光はレンズ６，９にて集光され、焦点距離位置にあるガルバノミラー１０に照射される。この時、回動装置１２は制御装置１の回動制御部１８より回動信号を受け、ガルバノミラー１０は図中Ｌの位置まで回動して静止する。該位置における投影光は左眼用画像として、図中実線の矢印方向に反射すると共にレンズ１３より拡散しフレネルレンズ３を照射する。
【００２３】
また、画像データ出力装置４がＬＣＤプロジェクター５に右眼用画像データを出力し当該ＬＣＤプロジェクター５が右眼用画像の投影光を出力した場合、該投影光はレンズ６，９にて集光され、焦点距離位置にあるガルバノミラー１０に照射される。この時、回動装置１２は制御装置１の回動制御部１８より回動信号を受け、ガルバノミラー１０は図中Ｒの位置まで回動して静止する。該位置における投影光は右眼用画像として、図中点線の矢印方向に反射すると共にレンズ１３より拡散しフレネルレンズ３を照射する。
【００２４】
図５は本発明の三次元ディスプレイシステムおけるガルバノミラーの回動動作説明図であり、左側より投影光を照射した場合、（ａ）に示すように中心反射角を４５°としシステムの配置により決まる固定角をα°とすると、左眼用画像を照射する場合のガルバノミラー１０の回動位置Ｌは（４５＋α）°で、右眼用画像を照射する場合のガルバノミラー１０の回動位置Ｒは（４５−α）°の固定位置となる。
【００２５】
また、観察者１４の頭及び両眼が左右に移動した場合、左眼用画像と右眼用画像の照射方向を追随変更する必要がある。この場合、前記観察者検出手段によりその移動方向及び移動量に相当するトラッキング角を検出する。ここで、観察者１４が左に移動し、そのトラッキング角を＋β°とした場合、（ｂ）に示すように左眼用画像を照射する場合のガルバノミラー１０の回動位置Ｌは（４５＋α＋β）°で、右眼用画像を照射する場合のガルバノミラー１０の回動位置Ｒは（４５−α＋β）°のトラッキング角に追随した可変位置となる。また、観察者１４が右に移動し、そのトラッキング角を−β°とした場合、（ｃ）に示すように右眼用画像を照射する場合のガルバノミラー１０の回動位置Ｌは（４５＋α−β）°で、右眼用画像を照射する場合のガルバノミラー１０の回動位置Ｒは（４５−α−β）°のトラッキング角に追随した可変位置となる。
【００２６】
上記のようにして、フレネルレンズ３に左眼用画像を表示する時に左眼用画像の投影光を照射することにより左眼用画像が偏光して図１の図中実線の矢印で示すように観察者１４の左眼に結像し、フレネルレンズ３に右眼用画像を表示する時に右眼用画像の投影光を照射することにより右眼用画像が偏光して図中点線の矢印で示すように観察者１４の右眼に結像し、該左眼用画像と右眼用画像の視差画像により立体映像を認識することができる。また、観察者１４の頭及び両眼が左右に移動してもトラッキング機能により鮮明な立体映像を認識することができる。該方式によれば、ガルバノミラー１０の回動制御は毎秒３０回の反復回動となり、回動装置１２の劣化は少ない。
【実施例２】
【００２７】
本発明の第二実施例を図を用いて説明する。図２は本発明の三次元ディスプレイシステムの第二実施例における構成模式図であり、観察者１４の正面にフレネルレンズ３が設置されている。また、該フレネルレンズ３の上部中央にＣＣＤカメラ２が設置されている。更にはＬＣＤプロジェクター５Ｌ，５Ｒに画像データ出力装置４が接続され、フレネルレンズ３に左眼用画像と右眼用画像の投影光を交互に出力可能となっている。該画像データ出力装置４は、制御装置１から出力されるＬＣＤプロジェクター切替信号を受け、システムに同期した左眼用画像と右眼用画像の出力切替を行う。なお、該左眼用画像と右眼用画像の出力切替速度は６０フレーム、即ち左眼用画像と右眼用画像を毎秒３０回ずつ交互に表示するのが好適である。
【００２８】
ここで、画像データ出力装置４がＬＣＤプロジェクター５Ｌに左眼用画像データを出力し当該ＬＣＤプロジェクター５Ｌが左眼用画像の投影光を出力した場合、該投影光はレンズ６Ｌ，９にて集光され、焦点距離位置にあるトラッキングミラー１１に照射される。該投影光は左眼用画像として、図中実線の矢印方向に反射すると共にレンズ１３より拡散しフレネルレンズ３を照射する。
【００２９】
また、画像データ出力装置４がＬＣＤプロジェクター５Ｒに右眼用画像データを出力し当該ＬＣＤプロジェクター５Ｒが右眼用画像の投影光を出力した場合、該投影光はレンズ６Ｒ，９にて集光され、焦点距離位置にあるトラッキングミラー１１に照射される。該投影光は右眼用画像として、図中点線の矢印方向に反射すると共にレンズ１３より拡散しフレネルレンズ３を照射する。
【００３０】
上記のように左眼用画像と右眼用画像の照射方向の切替はＬＣＤプロジェクター５Ｌ，５Ｒにて行い、回動装置１２による照射方向の切替は行わないため、高精度なガルバノミラーは不要となる。
【００３１】
上記トラッキングミラー１１の反射角は通常は４５°で固定しているが、観察者１４の頭及び両眼が左右に移動した場合、左眼用画像と右眼用画像の照射方向を追随変更する必要がある。この場合、前記観察者検出手段によりその移動方向及び移動量に相当するトラッキング角を検出する。図６は本発明の三次元ディスプレイシステムおけるトラッキングミラーの回動動作説明図であり、観察者１４が左に移動し、そのトラッキング角を＋β°とした場合、トラッキングミラー１１の回動位置Ｌは（４５＋β）°のトラッキング角に追随した可変位置となる。また、観察者１４が右に移動し、そのトラッキング角を−β°とした場合、トラッキングミラー１１の回動位置Ｌは（４５−β）°のトラッキング角に追随した可変位置となる。
【００３２】
上記のようにして、フレネルレンズ３に左眼用画像を表示する時に左眼用画像の投影光を照射することにより左眼用画像が偏光して図２の図中実線の矢印で示すように観察者１４の左眼に結像し、フレネルレンズ３に右眼用画像を表示する時に右眼用画像の投影光を照射することにより右眼用画像が偏光して図中点線の矢印で示すように観察者１４の右眼に結像し、該左眼用画像と右眼用画像の視差画像により立体映像を認識することができる。また、観察者１４の頭及び両眼が左右に移動してもトラッキング機能により鮮明な立体映像を認識することができる。該方式によれば、トラッキングミラー１１の回動制御は観察者１４の頭及び両眼が左右に移動した時のみとなり、回動装置１２は殆ど劣化することはない。
【産業上の利用可能性】
【００３３】
本発明の三次元ディスプレイシステムは、テレビやパソコンのモニタを始め、立体映像を目的としたあらゆるシステムにおいて利用可能である。
【図面の簡単な説明】
【００３４】
【図１】本発明の三次元ディスプレイシステムの第一実施例における構成模式図である。
【図２】本発明の三次元ディスプレイシステムの第二実施例における構成模式図である。
【図３】本発明の三次元ディスプレイシステムを内蔵したディスプレイの正面図である。
【図４】第一，第二実施例における制御装置のブロック回路図である。
【図５】本発明の三次元ディスプレイシステムにおけるガルバノミラーの回動動作説明図である。
【図６】本発明の三次元ディスプレイシステムにおけるトラッキングミラーの回動動作説明図である。
【符号の説明】
【００３５】
１  制御装置
２  ＣＣＤカメラ
３  フレネルレンズ
４  画像データ出力装置
５  ＬＣＤプロジェクター
６  レンズ
７  遮光板
８  スリット
９  レンズ
１０  ガルバノミラー
１１  トラッキングミラー
１２  回動装置
１３  レンズ
１４  観察者
１５  ディスプレイ
１６  画像処理部
１７  回路制御部
１８  回動制御部
【図１】
2005266591.tif 000003
【図２】
2005266591.tif 000004
【図３】
2005266591.tif 000005
【図４】
2005266591.tif 000006
【図５】
2005266591.tif 000007
【図６】
2005266591.tif 000008
【手続補正書】
【提出日】平成16年3月22日(2004.3.22)
【手続補正１】
【補正対象書類名】図面
【補正対象項目名】全図
【補正方法】変更
【補正の内容】
【図１】
2005266591.tif 000009
【図２】
2005266591.tif 000010
【図３】
2005266591.tif 000011
【図４】
2005266591.tif 000012
【図５】
2005266591.tif 000013
【図６】
2005266591.tif 000014
【手続補正書】
【提出日】平成17年7月13日(2005.7.13)
【手続補正１】
【補正対象書類名】明細書
【補正対象項目名】００３１
【補正方法】変更
【補正の内容】
【００３１】
上記トラッキングミラー１１の反射角は通常は４５°で固定しているが、観察者１４の頭及び両眼が左右に移動した場合、左眼用画像と右眼用画像の照射方向を追随変更する必要がある。この場合、前記観察者検出手段によりその移動方向及び移動量に相当するトラッキング角を検出する。図６は本発明の三次元ディスプレイシステムおけるトラッキングミラーの回動動作説明図であり、観察者１４が左に移動し、そのトラッキング角を＋β°とした場合、トラッキングミラー１１の回動位置Ｌは（４５＋β）°のトラッキング角に追随した可変位置となる。また、観察者１４が右に移動し、そのトラッキング角を−β°とした場合、トラッキングミラー１１の回動位置Ｒは（４５−β）°のトラッキング角に追随した可変位置となる。